(57)【要約】【課題】詰め替え用ティッシュペーパーの梱包体とティッシュペーパーケースにおいて、上記ケースに上記梱包体を簡単に詰め替えができて、あらゆる生活場面で便利に活用できる物を提供することを目的とする。【解決手段】本発明は、従来の紙型容器を無くす事によって輸送コストをさげ、薄い梱包用紙を工夫し簡単に補充が出来るように詰め替え用ティッシュペーパー梱包体を提供するものである。また、広範囲にわたる環境でティッシュペーパーを便利に使用するために平面以外での活用と携帯可能で、耐久性に優れた詰めティッシュペーパーケースを提供する。【選択図】図１
2011025995.tif 000002
【特許請求の範囲】
【請求項１】
定められた一定容量の、繰り出し可能に積層されたティッシュペーパーを収納し、内容残量の厚さに合わせて、ケースの厚さが変化することを特徴とするティッシュペーパーケース。
【請求項２】
ティッシュペーパーケースは平面においても、壁面においても使用でき、携帯にも適した、請求項１のティッシュペーパーケース。
【請求項３】
ティッシュペーパーケース本体に、ティッシュペーパーの束体が挿入出来る開口部を有し、開閉できることを特徴とする請求項１のティッシュペーパーケース。
【請求項４】
ティッシュペーパーケースに収納された、繰り出し可能なティッシュペーパーを１組ずつ取り出し出来る、取り出し口を有する請求項１のティッシュペーパーケース。
【請求項５】
ティッシュペーパーケースに開口するポケット、又名札を収納出来るポケットを有する、請求項１のティッシュペーパーケース。
【請求項６】
ティッシュペーパーケースにフックと、ベルトを有し、壁面や棒状のものにも吊り下げ可能な、請求項１のティッシュペーパーケース。
【請求項７】
ティッシュペーパーケースの素材は、可繞性を有するシート素材で形成され、防水性、耐久性に優れティッシュペーパーケースの内面素材は、ティッシュペーパーを取り出しやすい摩擦力の少ない請求項１のティッシュペーパーケース。
【請求項８】
柔軟性のある糸入り樹脂製のシートで、ティッシュペーパーケースを構成し、ティッシュペーパーの束体の挿入口はファスナーで開口出来るようにした請求項１のティッシュペーパーケース。
【請求項９】
繰り出し可能に積層されたティッシュペーパーの束体とエンドペーパーを梱包袋で収納したティッシュペーパー梱包体で収納したティッシュペーパー梱包体において、該梱包袋は可繞性を有するシート状素材から形成され環状の切り離し部が形成されることを特徴とする詰め替え用ティッシュペーパー梱包体。
【請求項１０】
梱包袋は環状の切り離し部によって２体に分割される事を特徴とする請求項９の詰め替え用ティッシュペーパー梱包体。
【請求項１１】
２体に分割される梱包袋にはそれぞれ、側面につまみ部がある事が特徴とする請求項９の詰め替え用ティッシュペーパー梱包体。
【請求項１２】
梱包袋は繰り出し可能に積層されたティッシュペーパーの束体とエンドペーパーを梱包しており、この梱包方法としては、圧縮する特徴とする請求項９の詰め替え用ティッシュペーパー梱包体。
【請求項１３】
内包されるティッシュペーパー束体の下に潤滑性のあるシート状の素材の物を一枚入れる、これをエンドペーパーとする、このエンドペーパーはティッシュペーパーケース内に新たに請求項９のティッシュペーパー梱包体を補充する事を特徴とする請求項９の詰め替え用ティッシュペーパー梱包体。
【請求項１４】
請求項１のティッシュペーパーケースに簡易に挿入し、又使用中の補充もスムーズに出来る事を特徴とする請求項９の詰め替え用ティッシュペーパー梱包体。
【発明の詳細な説明】
【技術分野】
【０００１】本発明は、ティッシュペーパーなどに用いられる箱型の紙容器において、その使用後の空容器の廃棄処理を容易にした詰め替え用ティッシュペーパー梱包体と、同梱包体を用いるティッシュペーパーケースに関するものである。
【先行技術文献】
【特許文献】
【０００２】
【特許文献１】  実用新案登録第  ３０００７８９  号公報
【特許文献２】  実用新案登録第  ３０９７６３３  号公報
【特許文献３】  特開平  ５−３２２７９  号公報
【特許文献４】  特開平  ９−１４２５５０  号公報
【特許文献５】  特開平  １０−１９２１８４  号公報
【特許文献６】  特開  ２００７−４４０５７  号公報
【特許文献７】  特開  ２００８−２５４７８１  号公報
【特許文献８】  特開  ２００９−１３３４  号公報
【発明の概要】
【発明が解決しようとする課題】
【０００３】私達の生活環境における生活様式も大変良くなり、ティッシュペーパーの使用においてもその重宝さからいろいろな用途に幅広く使用されている。一般的なティッシュペーパーは主に箱型紙容器に入れられて販売使用されており、この箱型紙容器の使用後の空の紙容器の廃棄処理は取り出し口の裏面にビニールが貼着されている為そのままでは紙の再生利用は難しい。【０００４】箱型紙容器は内容物の保護の面から厚紙でしっかりと作られている為平面的に潰せても小さくコンパクトに廃棄処理する事が難しい。【０００５】流通の面から見ると市場における販売価格の内、約８割が輸送費とされており、輸送に伴う二酸化炭素の排出量も環境の面で問題である。【０００６】箱型の紙容器で包装されたティッシュペーパーはその使用目的も種々広範囲にわたっており特に病院や介護の現場などでテーブルや壁面等に取り付けてティッシュペーパーを使用しようとすると箱型を色々な工夫でベッド周りやテーブル周りに装着する工夫をしなくてはいけない。【０００７】家庭で使用する箱型の紙容器の多くは５箱セットで量販店に並び、子供を連れた主婦やお年寄りなど日常の買い物と共に購入していく際には、容量が大きく大変かさばる為、持ち帰る時に不便を感じている。【０００８】幼児や赤ちゃんを連れたお母さんや、医療行為が必要な方、花粉症の方などティッシュペーパーを手放せない人達は、従来ポケットティッシュでは容量が少なく、使い勝手が悪い事から箱型紙容器のティッシュを持ち歩かなくてはいけないが、厚さがあり収納が悪く又、持ち運びに不便な為、携帯するには適していない。【０００９】以上の課題を解決しようと考えた場合は、紙で作られた従来の箱型の紙容器は、不便で無駄があると考えられる。本発明品はティッシュペーパーケースと詰め替え用ティッシュペーパー梱包体を提供することを目的とする。
【課題を解決するための手段】
【００１０】薄いシート状の素材を用いた筒状の包装構造で、積層されたティッシュペーパー束体を梱包し、この梱包体を２分割する為の切り離し部を作る。筒状の梱包袋を２つに分割されることにより取り出し口が形成される事を特徴とする、詰め替え用ティッシュペーパー梱包体を、糸入り樹脂シートなどで構成されたティッシュペーパーケースに供給する。
【発明の効果】
【００１１】従来の包装体である箱型の紙容器に比べ、シート素材で筒状のコンパクトな梱包構造を用いることによって、従来の包装に比べ包装した時の内容が実測で３０％減容出来る。その為運送時のコスト削減につながり、二酸化炭素の排出量の低減にも繋がる。【００１２】詰め替え用ティッシュペーパーの梱包体として、グラシン紙などの紙やビニールなどのシート状の素材を使用する事により、従来の包装体である箱型の紙容器に比べ、廃棄時のゴミの容量が小さくなり、ゴミが減る。又、紙の箱型容器がなくなることにより資源節約による結果、森林保護にもつながる。【００１３】ティッシュペーパーケースの素材として透明もしくは半透明などの可繞性のある糸入り樹脂シートを用いる事によって、柔軟で充分な強度を持たせた。それにより重量物がティッシュペーパーケースに載った場合でも形が崩れず、車中や屋外でも活用しやすい。また詰め替えられたティッシュペーパーの消費状況によりケースの厚みが変化する。従って残量が目視できる上、バックなどに入れて持ち運びしやすく携帯用としても利用しやすく十分に使用できる。【００１４】ティッシュペーパーケースの上部にフックをつけることにより、従来困難だった壁面や手すり、棒状のものなどにも吊り下げた形で使用できるようになる。【００１５】ティッシュペーパーケースの背面にポケットを付けることにより、小物やタオルを収納したり、どんな場所でも使用後のティッシュペーパーを収納する事も出来るためゴミ入れとしても使用できる。
【図面の簡単な説明】
【００１６】
【図１】本発明にかかるティッシュペーパーケースの使用状態を示す全体斜視図。
【図２】本発明にかかるティッシュペーパーケースの後方からの全体斜視図。
【図３】本発明にかかるティッシュペーパーとエンドペーパー。
【図４】本発明にかかる詰め替え用ティッシュペーパー梱包体の全体斜視図。
【図５】本発明にかかるティッシュペーパーケースの全体斜視図。
【図６】本発明にかかるティッシュペーパーケースに詰め替え用ティッシュペーパー梱包体を補充している状態を示す作用説明図。
【発明を実施するための形態】
【００１７】本発明にかかるティッシュペーパーケース及び詰め替え用ティッシュペーパー梱包体の一実施形態を図面に基づいて説明する。
図１は本発明品のティッシュペーパーケースの使用一例が示されている。
【００１８】図１においてティッシュペーパーの挿入口１はファスナーで開閉が出来、ティッシュペーパー挿入後、取り出し口２より、繰り出し可能な積層ティッシュペーパー束体４から１組ずつ取り出す事が出来る。
【００１９】図１のティッシュペーパーケース３内のティッシュペーパー束体４の残量の厚さに合わせてティッシュペーパーケース３の形状が変わることが特徴である。ティッシュペーパーケース３の内面は、取り出し口２より繰り出し可能な積層ティッシュペーパー束体４が１組ずつ取り出し易い摩擦力の少ない素材で出来ている。図中ティッシュペーパー挿入口２では、簡単に開閉しやすいようにファスナーを使用している。
【００２０】図２はティッシュペーパーケース１を縦にして使用する図の一例である。
【００２１】フック５を利用して壁掛けや棒などに吊るして縦に使用することが出来る。ベルト６は持ち運びや、ファスナー開閉時の押さえとして使用する。収納ポケット７は、背面には小物やタオルを収納ができ、使用済ティッシュペーパーなどを入れる為のゴミ入れなど、多目的に使用できるポケットである。又、この多目的ポケットの開閉は折曲箇所にマジックテープや、ボタン等を用いて留めることが出来、未使用時には閉じる事により見た目にもスッキリとしている。
【００２２】収納ポケット７がある位置には、磁石やマジックテープなど取り外しが可能なものを付けて、壁面に直接ティッシュペーパーケース３を取り付ける事も出来る。
【００２３】図３は、ティッシュペーパーケース３への補充のための、詰め替え用ティッシュペーパーの中身の一例が示されている。繰り出し可能な積層ティッシュペーパー束体４の下にエンドペーパー８がある。エンドペーパー８の素材については薄い習字紙程度のものでも良いがビニールや厚紙又、プラスティックなどの摩擦力の少ない物でも代用出来る。又、エンドペーパー８に変わるものを、ティッシュペーパーケース３の中に入れ、補充用の仕切り板として活用も出来る。残量も分かりやすく、ティッシュペーパーケース３の中でティッシュの残量が少なくなった時このエンドペーパー８の下に次の図４の詰め替え用ティッシュペーパーの梱包体９を補充しやすくする為のものである。
【００２４】図４は、図３の繰り出し可能な積層ティッシュペーパー４とエンドペーパー８をシート状の物で梱包し、筒状に袋詰めされた梱包袋Ａと梱包袋Ｂからなる詰め替え用ティッシュペーパー梱包体９の一例である。
【００２５】図４の梱包袋Ａ、梱包袋Ｂの素材は、薄いシート状の柔らかい紙やビニールなどの素材でコンパクトに筒状に梱包する。圧縮はしても良い。図中の梱包袋Ａと梱包袋Ｂに２分割する為の切り離し部１０を作る。切り離し部１０はミシン目や、ハーフスリットなどの切り離しや、重ね合わせ等の方法を用いて簡単に手で２分割に切り離し、ティッシュペーパー束体４とエンドペーパー８が取り出し出来るようにする。又、梱包袋Ａと梱包袋Ｂに２分割しやすくする為のつまみ部１１が設けられても良い。
【００２６】図５のティッシュペーパーケース４は可繞性がある素材が良く、薄くて軽く、耐久性、防水性に優れている素材が望ましい。又、例えば透明又は半透明などの糸入り樹脂シートや、紙、ビニール、プラスティック、布などの素材が望ましい。取り出し口２は直線の切り込みでも良いが、切り口が裂けたりしないように、重ね合わせたり、山形の切り口などの開口部を用いても良い。図中のティッシュペーパー挿入口１ではファスナーを使用しているが、ビニールパウチやマジックテープなどを用いて挿入口１が簡単に開閉しやすく、詰め替え用ティッシュペーパー梱包体９が挿入しやすく出来ているようになっていれば良い。
【００２７】本発明品のティッシュペーパーケースに、詰め替え用ティッシュペーパーを挿入する方法を図６にて説明する。図中ティッシュペーパー挿入口１から詰め替え用ティッシュペーパー梱包体９を、ティッシュ取り出し口２の途中まで挿入し、梱包袋Ａをティッシュ取り出し口２から指を挿入してつまみ部１１をつまみ矢印アの方向に引っ張る事により、ティッシュ取り出し口２から梱包袋Ａを引き剥がす事が簡単である。そして、詰め替え用ティッシュペーパー梱包体９をティッシュペーパーケース３の奥まで挿入し、ティッシュペーパー挿入口１から梱包袋Ｂのつまみ部１１をつまみ、矢印イの方向に引き抜き、ティッシュペーパー挿入口１を閉めれば挿入完了である。
【００２８】これの挿入方法によりティッシュペーパーケース３内で繰り出し可能な積層ティッシュペーパー４とエンドペーパー８に直接手を触れずにケース内で挿入が完了する為、衛生的である。
１．ティッシュペーパーの挿入口
２．取り出し口
３．ティッシュペーパーケース
４．ティッシュペーパー束体
５．フック
６．ベルト
７．収納ポケット
８．エンドペーパー
９．詰め替え用ティッシュペーパーの梱包体
１０．切り離し部
１１．つまみ部
Ａ，梱包袋
Ｂ，梱包袋
（ア）矢印
（イ）矢印
【図１】
2011025995.tif 000003
【図２】
2011025995.tif 000004
【図３】
2011025995.tif 000005
【図４】
2011025995.tif 000006
【図５】
2011025995.tif 000007
【図６】
2011025995.tif 000008